(57)【要約】【課題】  意図したとおりのカメラの姿勢で撮影ができているかをユーザーがより容易に確認できるようにする。【解決手段】  撮像手段における横方向または縦方向に離れた２つの撮像領域で撮像されたライブビュー画像を表示手段に並べて表示する２点拡大表示を行うように制御する表示制御手段と、  前記２点拡大表示でのライブビュー画像の表示を行っている際に行われた撮影指示に応じて撮影を行った後、撮影された画像の横方向または縦方向に離れた２つの領域を前記表示手段に並べて表示する２点拡大でのレビュー表示を行うように制御する制御手段とを有する。【選択図】  図３
2018107711.tif 000002
【特許請求の範囲】
【請求項１】
撮像手段における横方向または縦方向に離れた２つの撮像領域で撮像されたライブビュー画像を表示手段に並べて表示する２点拡大表示を行うように制御する表示制御手段と、
前記２点拡大表示でのライブビュー画像の表示を行っている際に行われた撮影指示に応じて撮影を行った後、撮影された画像の横方向または縦方向に離れた２つの領域を前記表示手段に並べて表示する２点拡大でのレビュー表示を行うように制御する制御手段と
を有することを特徴とする撮像制御装置。
【請求項２】
前記制御手段は、前記２点拡大表示でのライブビュー画像の表示を行っていない際に撮影指示が行われた場合には、該撮影指示に応じた撮影を行った後、撮影された画像の全体を前記表示手段に表示するレビュー表示を行うように制御することを特徴とする請求項１に記載の撮像制御装置。
【請求項３】
前記レビュー表示を前記２点拡大で行うか否かを設定する設定手段を更に有し、
前記制御手段は、前記設定手段で前記レビュー表示を前記２点拡大で行わない設定とされていた場合には、前記２点拡大表示でのライブビュー画像の表示を行っている際に行われた撮影指示に応じて撮影を行った後も、撮影された画像の全体を表示するレビュー表示を行うように制御することを特徴とする請求項１または２に記載の撮像制御装置。
【請求項４】
前記制御手段は、前記２点拡大でのレビュー表示を開始して所定時間が経過すると、前記撮影された画像の全体を表示するレビュー表示に自動的に切り換えるように制御することを特徴とする請求項１乃至３のいずれか１項に記載の撮像制御装置。
【請求項５】
前記制御手段は、前記２点拡大でのレビュー表示を開始してから無操作のまま所定時間が経過すると前記２点拡大でのレビュー表示を解除し、前記２点拡大でのレビュー表示を開始してから前記所定時間が経過する前に、表示されている画像に関する操作が行われると、前記２点拡大でのレビュー表示を前記所定時間の経過後も維持するように制御することを特徴とする請求項１乃至４のいずれか１項に記載の撮像制御装置。
【請求項６】
前記制御手段は、前記２点拡大でのレビュー表示中のユーザーからの操作に応じて、前記撮影された画像の全体を表示するレビュー表示に切り替えるように制御することを特徴とする請求項１乃至５のいずれか１項に記載の撮像制御装置。
【請求項７】
前記２点拡大でのレビュー表示で表示される前記２つの領域は、撮影直前のライブビュー画像での前記２点拡大表示で表示されていた表示範囲の位置と倍率に基づくことを特徴とする請求項１乃至６の何れか１項に記載の撮像制御装置。
【請求項８】
ライブビュー画像での前記２点拡大表示における２つの領域のうちいずれかを選択する選択手段を更に有し、
前記表示制御手段は、ライブビュー画像での前記２点拡大表示においては前記選択手段で選択された領域がいずれであるかを示す表示を行い、前記２点拡大でのレビュー表示においては並べて表示された２つの領域の何れが選択されているかを示す表示を行わないように制御することを特徴とする請求項１乃至７のいずれか１項に記載の撮像制御装置。
【請求項９】
前記制御手段は、前記２点拡大表示でのライブビュー画像の表示を行っている際に行われた撮影指示に応じて撮影を行うと、撮影された画像の属性情報として、前記２点拡大表示でのライブビュー画像の表示を行っていたことを示す情報を記録するように制御することを特徴とする請求項１乃至８のいずれか１項に記載の撮像制御装置。
【請求項１０】
記録媒体に記録された画像を再生して表示するように制御する再生制御手段を更に有し、
前記再生制御手段は、再生する画像に前記情報が属性情報として記録されている場合には、前記再生する画像の横方向または縦方向に離れた２つの領域を前記表示手段に並べて表示する２点拡大での再生表示を行うように制御することを特徴とする請求項９に記載の撮像制御装置。
【請求項１１】
撮像手段における横方向または縦方向に離れた２つの撮像領域で撮像されたライブビュー画像を表示手段に並べて表示する２点拡大表示を行うように制御する表示制御手段と、
前記２点拡大表示でのライブビュー画像の表示を行っている際に行われた撮影指示に応じて撮影を行うと、撮影された画像の属性情報として、前記２点拡大表示でのライブビュー画像の表示を行っていたことを示す情報を記録するように制御する制御手段と、
記録媒体に記録された画像を再生して表示するように制御する再生制御手段であって、再生する画像に前記情報が属性情報として記録されている場合には、前記再生する画像の横方向または縦方向に離れた２つの領域を前記表示手段に並べて表示する２点拡大での再生表示を行うように制御する再生制御手段と
を有することを特徴とする撮像制御装置。
【請求項１２】
前記再生制御手段は、再生する画像に前記情報が属性情報として記録されている場合には、前記２点拡大での再生表示が行えることを示すガイドを再生した画像と共に表示し、ユーザーからの２点拡大での再生表示を行う指示操作があった場合に、前記２点拡大での再生表示を行うように制御することを特徴とする請求項１０または１１に記載の撮像制御装置。
【請求項１３】
前記再生制御手段は、再生する画像に前記情報が属性情報として記録されていない場合には、前記ガイドを表示しないように制御することを特徴とする請求項１２に記載の撮像制御装置。
【請求項１４】
前記情報は、撮影直前のライブビュー画像での前記２点拡大表示で表示されていた表示範囲の位置に対応する情報を含み、前記再生制御手段は、前記２点拡大での再生表示を行う際に、再生する画像のうち、前記情報に基づく位置の２つの領域を前記表示手段に並べて表示するように制御することを特徴とする請求項１０乃至１３のいずれか１項に記載の撮像制御装置。
【請求項１５】
撮像手段における横方向または縦方向に離れた２つの撮像領域で撮像されたライブビュー画像を表示手段に並べて表示する２点拡大表示を行うように制御する表示制御ステップと、
前記２点拡大表示でのライブビュー画像の表示を行っている際に行われた撮影指示に応じて撮影を行った後、撮影された画像の横方向または縦方向に離れた２つの領域を前記表示手段に並べて表示する２点拡大でのレビュー表示を行うように制御する制御ステップと
を有することを特徴とする撮像制御装置の制御方法。
【請求項１６】
撮像手段における横方向または縦方向に離れた２つの撮像領域で撮像されたライブビュー画像を表示手段に並べて表示する２点拡大表示を行うように制御する表示制御ステップと、
前記２点拡大表示でのライブビュー画像の表示を行っている際に行われた撮影指示に応じて撮影を行うと、撮影された画像の属性情報として、前記２点拡大表示でのライブビュー画像の表示を行っていたことを示す情報を記録するように制御する制御ステップと、
記録媒体に記録された画像を再生して表示するように制御する再生制御ステップであって、再生する画像に前記情報が属性情報として記録されている場合には、前記再生する画像の横方向または縦方向に離れた２つの領域を前記表示手段に並べて表示する２点拡大での再生表示を行うように制御する再生制御ステップと
を有することを特徴とする撮像制御装置の制御方法。
【請求項１７】
コンピュータを、請求項１乃至１４のいずれか１項に記載された撮像制御装置の各手段として機能させるためのプログラム。
【請求項１８】
コンピュータを、請求項１乃至１４のいずれか１項に記載された撮像制御装置の各手段として機能させるためのプログラムを格納したコンピュータが読み取り可能な記憶媒体。
【発明の詳細な説明】
【技術分野】
【０００１】
本発明は、ライブビュー画像の一部分を拡大して表示する技術に関する。
【背景技術】
【０００２】
カメラを使用する際、カメラを水平に構えて撮影することが望ましいケースがある。例えば建物や風景などを撮影する際、カメラが水平でないと撮影された画像が斜めになり違和感が生じる。これに対し、特許文献１では、加速度センサーで検出した重力方向に基づいてカメラの姿勢を検出し、検出したカメラの姿勢を示す水準器表示をスルー画像と共に表示する方法が提案されている。また、特許文献２では、ライブビュー画像上の左右方向に離れた２領域をそれぞれ拡大した画像を並べて表示することで、目視での水平合わせを精度よく行えるようにする方法が提案されている。
【先行技術文献】
【特許文献】
【０００３】
【特許文献１】特開２０１２−０６０５６７号広報
【特許文献２】特開２０１６−１６３１０４号広報
【発明の概要】
【発明が解決しようとする課題】
【０００４】
シャッターボタンを操作する力、手ブレ、シャッターやミラーの振動などの要因により、撮影時にブレや振動が発生することがある。これによって撮影前に合わせたカメラの水平姿勢が保たれなくなって撮影が行われる場合がある。しかしながら、上記特許文献１、２では、撮影時に合わせたカメラの水平姿勢を撮影後に確認することができず、意図した姿勢での撮影ができているかをユーザーが判断しにくい。
【０００５】
そこで本発明は、意図したとおりのカメラの姿勢で撮影ができているかをユーザーがより容易に確認できるようにした撮像制御装置、撮像制御方法、プログラム及び記録媒体を提供することを目的とする。
【課題を解決するための手段】
【０００６】
上記目的を達成するために、本発明の撮像制御装置は、
撮像手段における横方向または縦方向に離れた２つの撮像領域で撮像されたライブビュー画像を表示手段に並べて表示する２点拡大表示を行うように制御する表示制御手段と、
前記２点拡大表示でのライブビュー画像の表示を行っている際に行われた撮影指示に応じて撮影を行った後、撮影された画像の横方向または縦方向に離れた２つの領域を前記表示手段に並べて表示する２点拡大でのレビュー表示を行うように制御する制御手段と
を有することを特徴とする。
【発明の効果】
【０００７】
本発明によれば、意図したとおりのカメラの姿勢で撮影ができているかをユーザーがより容易に確認できる。
【図面の簡単な説明】
【０００８】
【図１】デジタルカメラ１００の外観を示した図である。
【図２】デジタルカメラ１００の構成ブロック図である。
【図３】ＬＶ撮影モード処理のフローチャートである。
【図４】撮影待機画面の表示例である。
【図５】２点拡大表示の表示例である。
【図６】２点拡大クイックレビュー処理のフローチャートである。
【図７】再生モード処理のフローチャートである。
【図８】クイックレビュー表示および再生表示の表示例である。
【発明を実施するための形態】
【０００９】
以下、図面を参照して本発明の好適な実施形態を説明する。
【００１０】
図１（ａ）、（ｂ）に本発明を適用可能な装置の一例としてのデジタルカメラ１００の外観図を示す。図１（ａ）はデジタルカメラ１００の前面斜視図であり、図１（ｂ）はデジタルカメラ１００の背面斜視図である。図１において、表示部２８は画像や各種情報を表示する、カメラ背面に設けられた表示部である。ファインダー外表示部４３は、カメラ上面に設けられた表示部であり、シャッター速度や絞りをはじめとするカメラの様々な設定値が表示される。シャッターボタン６１は撮影指示を行うための操作部である。モード切替スイッチ６０は各種モードを切り替えるための操作部である。端子カバー４０は外部機器との接続ケーブルとデジタルカメラ１００とを接続する接続ケーブル等のコネクタ（不図示）を保護するカバーである。メイン電子ダイヤル７１は操作部７０に含まれる回転操作部材であり、このメイン電子ダイヤル７１を回すことで、シャッター速度や絞りなどの設定値の変更等が行える。電源スイッチ７２はデジタルカメラ１００の電源のＯＮ及びＯＦＦを切り替える操作部材である。サブ電子ダイヤル７３は操作部７０に含まれ、操作部７０に含まれる回転操作部材であり、選択枠の移動や画像送りなどを行える。十字キー７４は操作部７０に含まれ、上、下、左、右部分をそれぞれ押し込み可能な十字キー（４方向キー）である。十字キー７４の押した部分に応じた操作が可能である。ＳＥＴボタン７５は操作部７０に含まれ、押しボタンであり、主に選択項目の決定などに用いられる。ＬＶボタン７６は操作部７０に含まれ、静止画撮影モードおいてライブビュー（以下、ＬＶ）のＯＮとＯＦＦを切り替えるボタンである。動画撮影モードにおいては、動画撮影（記録）の開始、停止の指示に用いられる。拡大ボタン７７は操作部７０に含まれ、撮影モードのライブビュー表示において拡大モードのＯＮ、ＯＦＦ，及び拡大モード中の拡大率の変更を行うための操作ボタンである。再生モードにおいては再生画像を拡大し、拡大率を増加させるための拡大ボタンとして機能する。縮小ボタン７８は操作部７０に含まれ、拡大された再生画像の拡大率を低減させ、表示された画像を縮小させるためのボタンである。再生ボタン７９は操作部７０に含まれ、撮影モードと再生モードとを切り替える操作ボタンである。撮影モード中に再生ボタン７９を押下することで再生モードに移行し、記録媒体２００に記録された画像のうち最新の画像を表示部２８に表示させることができる。クイックリターンミラー１２は、システム制御部５０から指示されて、不図示のアクチュエータによりアップダウンされる。通信端子１０はデジタルカメラ１００がレンズ側（着脱可能）と通信を行う為の通信端子である。接眼ファインダー１６はフォーカシングスクリーン１３を観察することで、レンズユニット１５０を通して得た被写体の光学像の焦点や構図の確認を行うための覗き込み型のファインダーである。蓋２０２は記録媒体２００を格納したスロットの蓋である。グリップ部９０は、ユーザーがデジタルカメラ１００を構えた際に右手で握りやすい形状とした保持部である。
【００１１】
図２は、本実施形態によるデジタルカメラ１００の構成例を示すブロック図である。
【００１２】
レンズユニット１５０は、交換可能な撮影レンズを搭載するレンズユニットである。
【００１３】
レンズ１０３は通常、複数枚のレンズから構成されるが、ここでは簡略して一枚のレンズのみで示している。通信端子６はレンズユニット１５０がデジタルカメラ１００側と通信を行う為の通信端子であり、通信端子１０はデジタルカメラ１００がレンズユニット１５０側と通信を行う為の通信端子である。レンズユニット１５０は、この通信端子６，１０を介してシステム制御部５０と通信し、内部のレンズシステム制御回路４によって絞り駆動回路２を介して絞り１の制御を行い、ＡＦ駆動回路３を介して、レンズ１０３の位置を変位させることで焦点を合わせる。
【００１４】
ＡＥセンサー１７は、レンズユニット１５０を通した被写体の輝度を測光する。
【００１５】
焦点検出部１１は、システム制御部５０にデフォーカス量情報を出力する。システム制御部５０はそれに基づいてレンズユニット１５０を制御し、位相差ＡＦを行う。
【００１６】
クイックリターンミラー１２（以下、ミラー１２）は、露光、ライブビュー撮影、動画撮影の際にシステム制御部５０から指示されて、不図示のアクチュエータによりアップダウンされる。ミラー１２は、レンズ１０３から入射した光束をファインダー１６側と撮像部２２側とに切替えるためのミラーである。ミラー１２は通常時はファインダー１６へと光束を導くよう反射させるように配されているが、撮影が行われる場合やライブビュー表示の場合には、撮像部２２へと光束を導くように上方に跳ね上がり光束中から待避する（ミラーアップ）。またミラー１２はその中央部が光の一部を透過できるようにハーフミラーとなっており、光束の一部を、焦点検出を行うための焦点検出部１１に入射するように透過させる。
【００１７】
撮影者は、ペンタプリズム１４とファインダー１６を介して、フォーカシングスクリーン１３を観察することで、レンズユニット１５０を通して得た被写体の光学像の焦点や構図の確認が可能となる。
【００１８】
シャッター１０１は、システム制御部５０の制御で撮像部２２の露光時間を自由に制御できるフォーカルプレーンシャッターである。
【００１９】
撮像部２２は光学像を電気信号に変換するＣＣＤやＣＭＯＳ素子等で構成される撮像素子である。Ａ／Ｄ変換器２３は、アナログ信号をデジタル信号に変換する。Ａ／Ｄ変換器２３は、撮像部２２から出力されるアナログ信号をデジタル信号に変換するために用いられる。
【００２０】
画像処理部２４は、Ａ／Ｄ変換器２３からのデータ、又は、メモリ制御部１５からのデータに対し所定の画素補間、縮小といったリサイズ処理や色変換処理を行う。また、画像処理部２４では、撮像した画像データを用いて所定の演算処理が行われ、得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４では更に、撮像した画像データを用いて所定の演算処理を行い、得られた演算結果に基づいてＴＴＬ方式のＡＷＢ（オートホワイトバランス）処理も行っている。
【００２１】
Ａ／Ｄ変換器２３からの出力データは、画像処理部２４及びメモリ制御部１５を介して、或いは、メモリ制御部１５を介してメモリ３２に直接書き込まれる。メモリ３２は、撮像部２２によって得られＡ／Ｄ変換器２３によりデジタルデータに変換された画像データや、表示部２８に表示するための画像データを格納する。メモリ３２は、所定枚数の静止画像や所定時間の動画像および音声を格納するのに十分な記憶容量を備えている。
【００２２】
また、メモリ３２は画像表示用のメモリ（ビデオメモリ）を兼ねている。Ｄ／Ａ変換器１９は、メモリ３２に格納されている画像表示用のデータをアナログ信号に変換して表示部２８に供給する。こうして、メモリ３２に書き込まれた表示用の画像データはＤ／Ａ変換器１９を介して表示部２８により表示される。表示部２８は、ＬＣＤ等の表示器上に、Ｄ／Ａ変換器１９からのアナログ信号に応じた表示を行う。Ａ／Ｄ変換器２３によって一度Ａ／Ｄ変換されメモリ３２に蓄積されたデジタル信号をＤ／Ａ変換器１９においてアナログ変換し、表示部２８に逐次転送して表示することで、電子ビューファインダとして機能し、スルー画像表示（ライブビュー表示）を行える。
【００２３】
ファインダー内液晶表示部４１には、ファインダー内表示部駆動回路４２を介して、現在オートフォーカスが行われている測距点を示す枠（ＡＦ枠）や、カメラの設定状態を表すアイコンなどが表示される。
【００２４】
ファインダー外表示部４３には、ファインダー外表示部駆動回路４４を介して、シャッター速度や絞りをはじめとするカメラの様々な設定値が表示される。
【００２５】
不揮発性メモリ５６は、電気的に消去・記録可能なメモリであり、例えばＥＥＰＲＯＭ等が用いられる。不揮発性メモリ５６には、システム制御部５０の動作用の定数、プログラム等が記憶される。ここでいう、プログラムとは、本実施形態にて後述する各種フローチャートを実行するためのプログラムのことである。
【００２６】
システム制御部５０は、少なくとも１つのプロセッサーを有する制御部であり、デジタルカメラ１００全体を制御する。前述した不揮発性メモリ５６に記録されたプログラムを実行することで、後述する本実施形態の各処理を実現する。５２はシステムメモリであり、ＲＡＭが用いられる。システムメモリ５２には、システム制御部５０の動作用の定数、変数、不揮発性メモリ５６から読み出したプログラム等を展開する。また、システム制御部５０はメモリ３２、Ｄ／Ａ変換器１９、表示部２８等を制御することにより表示制御も行う。
【００２７】
システムタイマー５３は各種制御に用いる時間や、内蔵された時計の時間を計測する計時部である。
【００２８】
モード切替スイッチ６０、第１シャッタースイッチ６２、第２シャッタースイッチ６４、操作部７０はシステム制御部５０に各種の動作指示を入力するための操作手段である。
【００２９】
モード切替スイッチ６０は、システム制御部５０の動作モードを静止画記録モード、動画撮影モード、再生モード等のいずれかに切り替える。静止画記録モードに含まれるモードとして、オート撮影モード、オートシーン判別モード、マニュアルモード、絞り優先モード（Ａｖモード）、シャッター速度優先モード（Ｔｖモード）がある。また、撮影シーン別の撮影設定となる各種シーンモード、プログラムＡＥモード、カスタムモード等がある。モード切替スイッチ６０で、これらのモードのいずれかに直接切り替えられる。あるいは、モード切替スイッチ６０で撮影モードの一覧画面に一旦切り換えた後に、表示された複数のモードのいずれかを選択し、他の操作部材を用いて切り替えるようにしてもよい。同様に、動画撮影モードにも複数のモードが含まれていてもよい。
【００３０】
第１シャッタースイッチ６２は、デジタルカメラ１００に設けられた撮影操作部材であるシャッターボタン６１の操作途中、いわゆる半押し（第一操作・撮影準備指示）でＯＮとなり第１シャッタースイッチ信号ＳＷ１を発生する。第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。
【００３１】
第２シャッタースイッチ６４は、シャッターボタン６１の操作完了、いわゆる全押し（第二操作・撮影指示）でＯＮとなり、第２シャッタースイッチ信号ＳＷ２を発生する。システム制御部５０は、第２シャッタースイッチ信号ＳＷ２により、撮像部２２からの信号読み出しから記録媒体２００に画像データを書き込むまでの一連の撮影処理の動作を開始する。
【００３２】
操作部７０の各操作部材は、表示部２８に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタン７０ｅが押されると各種の設定可能なメニュー画面が表示部２８に表示される。ユーザーは、表示部２８に表示されたメニュー画面と、上下左右の４方向ボタンやＳＥＴボタンとを用いて直感的に各種設定を行うことができる。
【００３３】
操作部７０は、ユーザーからの操作を受け付ける入力部としての各種操作部材である。操作部７０には、少なくとも以下の操作部が含まれる。シャッターボタン６１、メイン電子ダイヤル７１、電源スイッチ７２、サブ電子ダイヤル７３、十字キー７４、ＳＥＴボタン７５、ＬＶボタン７６、拡大ボタン７７、縮小ボタン７８、再生ボタン７９。十字キー７４は、十字キー７４における上、下、右、左の各部を押し込み可能な方向ボタンである。本実施形態では一体的な操作部として説明しているが、上ボタン、下ボタン、右ボタン、左ボタンがそれぞれ独立したボタンであってもよい。以下、上、または下部分を上下キー、左または右部分を左右キーと称する。また、操作部７０には以下の操作部も含まれる。
【００３４】
ＡＦ−ＯＮボタン７０ｂは、操作部７０に含まれる押しボタンスイッチであり、押下することでＡＦの実行を指示することができる。ＡＦ−ＯＮボタン７０ｂの押下方向は、レンズ１０３から撮像部２２に入射する被写体光の方向（光軸）と平行である。
【００３５】
クイック設定ボタン７０ｃ（以下、Ｑボタン７０ｃ）は、操作部７０に含まれる押しボタンスイッチであり、押下することで、各動作モードにおいて設定可能な設定項目の一覧であるクイック設定メニューが表示される。例えばライブビュー撮影での撮影待機中に押下されると、電子先幕シャッター、モニターの明るさ、ＬＶ画面のＷＢ、２点拡大、無音撮影などの設定項目の一覧がＬＶに重畳して１列に表示される。ユーザーは表示されたクイック設定メニューの内、任意の選択肢を上下キーで選択してセットボタンを押下することで、選択した設定項目に関する設定変更や動作モードへの移行を行うことができる。
【００３６】
アクティブ枠切替ボタン７０ｄは、操作部７０に含まれる押しボタンスイッチであり、後述する２点拡大処理において押下することで、拡大している２箇所のうち、アクティブな拡大位置（枠）を切り替えることができる。また、動作モードによって異なる機能が割り当てられており、再生モードにおいて押下すると、表示している画像にプロテクト属性を付与することができる。
【００３７】
メニューボタン７０ｅは、操作部７０に含まれる押しボタンスイッチであり、各種の設定が可能なメニュー画面が表示部２８に表示される。
【００３８】
ファンクションボタン７０ｆは、操作部７０に含まれる３つの押しボタンスイッチであり、それぞれ機能が割り当てられている。ファンクションボタン７０ｆのそれぞれは、グリップ部９０を保持する右手の指（中指または薬指または小指）によって操作可能な位置に配置されており、押下方向はレンズ１０３から撮像部２２に入射する被写体光の方向（光軸）と平行である。
【００３９】
電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ供給する。
【００４０】
電源部３０は、アルカリ電池やリチウム電池等の一次電池やＮｉＣｄ電池やＮｉＭＨ電池、Ｌｉ電池等の二次電池、ＡＣアダプター等からなる。記録媒体Ｉ／Ｆ１８は、メモリカードやハードディスク等の記録媒体２００とのインターフェースである。記録媒体２００は、撮影された画像を記録するためのメモリカード等の記録媒体であり、半導体メモリや磁気ディスク等から構成される。
【００４１】
通信部５４は、無線または有線ケーブルによって接続し、映像信号や音声信号の送受信を行う。通信部５４は無線ＬＡＮ（Ｌｏｃａｌ  Ａｒｅａ  Ｎｅｔｗｏｒｋ）やインターネットとも接続可能である。通信部５４は撮像部２２で撮像した画像（スルー画像を含む）や、記録媒体２００に記録された画像を送信可能であり、また、外部機器から画像データやその他の各種情報を受信することができる。
【００４２】
姿勢検知部５５は重力方向に対するデジタルカメラ１００の姿勢を検知する。姿勢検知部５５で検知された姿勢に基づいて、撮像部２２で撮影された画像が、デジタルカメラ１００を横に構えて撮影された画像であるか、縦に構えて撮影された画像なのかを判別可能である。システム制御部５０は、姿勢検知部５５で検知された姿勢に応じた向き情報を撮像部２２で撮像された画像の画像ファイルに付加したり、画像を回転して記録することが可能である。姿勢検知部５５としては、加速度センサーやジャイロセンサーなどを用いることができる。
【００４３】
なお操作部７０の一つとして、表示部２８に対する接触を検知可能なタッチパネル７０ａを有する。タッチパネル７０ａと表示部２８とは一体的に構成することができる。例えば、タッチパネル７０ａを光の透過率が表示部２８の表示を妨げないように構成し、表示部２８の表示面の上層に取り付ける。そして、タッチパネル７０ａにおける入力座標と、表示部２８上の表示座標とを対応付ける。これにより、恰もユーザーが表示部２８上に表示された画面を直接的に操作可能であるかのようなＧＵＩ（グラフィカルユーザーインターフェース）を構成することができる。システム制御部５０はタッチパネル７０ａへの以下の操作。あるいは状態を検出できる。
【００４４】
・タッチパネル７０ａにタッチしていなかった指やペンが新たにタッチパネル７０ａにタッチしたこと。すなわち、タッチの開始（以下、タッチダウン（Ｔｏｕｃｈ−Ｄｏｗｎ）と称する）。
・タッチパネル７０ａを指やペンでタッチしている状態であること（以下、タッチオン（Ｔｏｕｃｈ−Ｏｎ）と称する）。
・タッチパネル７０ａを指やペンでタッチしたまま移動していること（以下、タッチムーブ（Ｔｏｕｃｈ−Ｍｏｖｅ）と称する）。
・タッチパネル７０ａへタッチしていた指やペンを離したこと。すなわち、タッチの終了（以下、タッチアップ（Ｔｏｕｃｈ−Ｕｐ）と称する）。
・タッチパネル７０ａに何もタッチしていない状態（以下、タッチオフ（Ｔｏｕｃｈ−Ｏｆｆ）と称する）。
【００４５】
タッチダウンが検出されると、同時にタッチオンであることも検出される。タッチダウンの後、タッチアップが検出されない限りは、通常はタッチオンが検出され続ける。タッチムーブが検出されるのもタッチオンが検出されている状態である。タッチオンが検出されていても、タッチ位置が移動していなければタッチムーブは検出されない。タッチしていた全ての指やペンがタッチアップしたことが検出された後は、タッチオフとなる。
【００４６】
これらの操作・状態や、タッチパネル７０ａ上に指やペンがタッチしている位置座標は内部バスを通じてシステム制御部５０に通知され、システム制御部５０は通知された情報に基づいてタッチパネル７０ａ上にどのようなタッチ操作が行なわれたかを判定する。タッチムーブについてはタッチパネル７０ａ上で移動する指やペンの移動方向についても、位置座標の変化に基づいて、タッチパネル７０ａ上の垂直成分・水平成分毎に判定できる。所定距離以上をタッチムーブしたことが検出された場合はスライド操作が行なわれたと判定するものとする。タッチパネル上に指をタッチしたままある程度の距離だけ素早く動かして、そのまま離すといった操作をフリックと呼ぶ。フリックは、言い換えればタッチパネル７０ａ上を指ではじくように素早くなぞる操作である。所定距離以上を、所定速度以上でタッチムーブしたことが検出され、そのままタッチアップが検出されるとフリックが行なわれたと判定できる（スライド操作に続いてフリックがあったものと判定できる）。更に、複数箇所（例えば２点）を同時にタッチして、互いのタッチ位置を近づけるタッチ操作をピンチイン、互いのタッチ位置を遠ざけるタッチ操作をピンチアウトと称する。ピンチアウトとピンチインを総称してピンチ操作（あるいは単にピンチ）と称する。タッチパネル７０ａは、抵抗膜方式や静電容量方式、表面弾性波方式、赤外線方式、電磁誘導方式、画像認識方式、光センサー方式等、様々な方式のタッチパネルのうちいずれの方式のものを用いても良い。方式によって、タッチパネルに対する接触があったことでタッチがあったと検出する方式や、タッチパネルに対する指やペンの接近があったことでタッチがあったと検出する方式ものがあるが、いずれの方式でもよい。
【００４７】
図３は、デジタルカメラ１００の撮影待機中の処理の流れを示すフローチャートである。この処理は、不揮発性メモリ５６に記録されたプログラムをシステムメモリ５２に展開してシステム制御部５０が実行することで実現する。デジタルカメラ１００が撮影モードで起動され、ライブビュー撮影がオンとなると図３の処理を開始する。
【００４８】
Ｓ３０１において、システム制御部５０は、表示部２８に撮影待機画面を表示する。撮影画面には、表示される情報表示の量、具体的には表示される撮影設定の項目数がそれぞれ異なる表示モード１〜４がある。Ｓ３０１では、前回設定されていた表示モードを不揮発性メモリ５６から読み出し、前回設定されていた表示モードで撮影待機画面が表示される。
【００４９】
図４（ａ）に、表示モード１の撮影待機画面の表示例を示す。表示モード１の撮影待機画面にはライブビュー画像４５０（ＬＶ画像４５０）が表示される。ＬＶ画像４５０は、撮影範囲（画像ファイルとして記録される撮影画像に写る範囲）の全体が写る全体ライブビュー画像である。また、ＬＶ画像４５０に重畳して、撮影モードアイコン４０１、ドライブモードアイコン４０２、ＡＦ方式アイコン４０３、ヒストグラム４１０、露出設定４２０が表示される。撮影モードアイコン４０１は、複数の撮影モードのうち、現在設定されている撮影モードを示している。ドライブモードアイコン４０２は、１枚撮影、連続撮影（連写）、セルフタイマー撮影のうち、現在設定されているドライブ設定を示している。ＡＦ方式アイコン４０３は、顔＋追尾優先ＡＦ、ライブ１点ＡＦ、ライブゾーンＡＦなどのＡＦ方式のうち、現在設定されているＡＦ方式を示している。露出設定４２０は、現在設定されているシャッタースピード、絞り数値、ＩＳＯ感度、露出補正値を示している。撮影モードアイコン４０１、ドライブモードアイコン４０２、ＡＦ方式アイコン４０３、露出設定４２０は何れも、撮影に関する設定（撮影設定）の現在の設定値を示す撮影情報である。
【００５０】
図４（ｂ）に、表示モード２の撮影待機画面の表示例を示す。表示モード２は、表示モード１と比べてヒストグラム４１０を非表示とした表示モードである。図４（ｃ）に、表示モード３の撮影待機画面の表示例を示す。表示モード３は、表示モード１と比べて、撮影モードアイコン４０１、ドライブモードアイコン４０２、ＡＦ方式アイコン４０３、ヒストグラム４１０を非表示とした表示モードである。ＬＶ画像４５０に重畳して露出設定４２０だけが表示される。図４（ｄ）に、表示モード４の撮影待機画面の表示例を示す。表示モード４は、表示モード１と比べて、撮影モードアイコン４０１、ドライブモードアイコン４０２、ＡＦ方式アイコン４０３、ヒストグラム４１０、露出設定４２０を非表示とした表示モードである。すなわち、全ての情報表示を非表示としてＬＶ画像４５０だけを表示したモードである。表示モード１〜４は、操作部７０に含まれる情報切替ボタン（ＩＮＦＯボタン）の押下に応じて切り替えることができる。
【００５１】
Ｓ３０２では、システム制御部５０は、操作部７０に含まれる情報切替ボタン（ＩＮＦＯボタン）が押下されたか否かを判定する。情報切替ボタン（ＩＮＦＯボタン）が押下された場合はＳ３０３に進み、そうでない場合はＳ３０４に進む。Ｓ３０３では、情報切替ボタン（ＩＮＦＯボタン）の押下に応じて、前述の表示モード１〜４のいずれかに切り替える。また、切り替えられた現在の表示モードの設定を、不揮発性メモリ５６及びシステムメモリ５２に記録する。
【００５２】
Ｓ３０４では、システム制御部５０は、メニューボタン７０ｅが押下されたか否かを判定する。メニューボタン７０ｅが押下された場合はＳ３０５に進み、そうでない場合はＳ３０６に進む。Ｓ３０５では、システム制御部５０は、各種の設定可能なメニュー画面を表示部２８に表示し、ユーザーからの操作に応じて各種の設定を行う。メニュー画面には、２点拡大クイックレビュー（以下、２点拡大ＱＲ）を「入（オン）」とするか「切（オフ）」とするかの設定項目も含まれる。この２点拡大クイックレビューの入／切の設定項目がユーザー操作によって選択され、設定変更操作がされた場合には、変更された設定値（「入」または「切」）を不揮発性メモリ５６およびシステムメモリ５２に記憶する。すなわち、２点拡大ＱＲを「入（オン）」とするか「切（オフ）」をユーザーが予め設定しておくことができる。
【００５３】
Ｓ３０６では、システム制御部５０は、再生モードに移行する指示操作があったか否かを判定する。具体的には、再生ボタン７９が押下されたか否かの判定である。再生ボタン７９が押下された場合はＳ３０７に進み、そうでない場合にはＳ３０８に進む。Ｓ３０７では、システム制御部５０は、再生モードに遷移して再生モード処理を行う。再生モード処理の詳細は図７を用いて後述する。
【００５４】
Ｓ３０８では、システム制御部５０は、２点拡大表示へ遷移する指示操作があったか否かを判定する。２点拡大表示へ遷移する指示操作は、クイック設定メニューを表示させ、クイック設定メニューに含まれる２点拡大の項目を選択して決定する操作である。より詳しくは、撮影待機画面でＱボタン７０ｃが押されると、ライブビュー画像４５０に重畳して、表示部２８にクイック設定メニューを表示する。クイック設定メニューには、それぞれ異なる項目を示すアイコン群が並べて表示され、選択状態となったアイコンにはカーソルが表示される。カーソルは十字キー７４の上下操作により移動することができる。クイック設定メニューに表示された複数の項目のうち、２点拡大の項目を示すアイコンにカーソルが当たった状態で、ＳＥＴボタン７５が押下されると、２点拡大表示への遷移指示操作があったと判定する。なお、２点拡大表示への遷移指示操作はここで説明した操作に限るものではない。２点拡大表示への遷移指示操作があった場合はＳ３２１に進んで２点拡大処理を行う。２点拡大処理の詳細はＳ３２１以降で後述する。２点拡大表示への遷移指示操作がない場合はＳ３０９へ進む。
【００５５】
Ｓ３０９では、システム制御部５０は、ユーザーからのその他の指示操作があったか否かを判定する。その他の指示操作としては、例えば、シャッター速度や絞りを変更するためのメイン電子ダイヤル７１の操作、ＩＳＯ感度、露出補正値、撮影モード、ドライブ設定、ＡＦ方式などの各種撮影設定を変更する操作などがある。その他の指示操作があった場合はＳ３１０に進み、そうでない場合はＳ３１１に進む。Ｓ３１０では、その他の指示操作に応じた処理（シャッター速度や絞りの変更など）を行う。
【００５６】
Ｓ３１１では、システム制御部５０はシャッターボタン６１が半押しされ、ＳＷ１がオンとなったか否かを判定する。ＳＷ１がオンとなった場合はＳ３１２に進み、そうでない場合はＳ３１７に進む。Ｓ３１２では、システム制御部５０はＡＦを実行する。また、ＡＦのほかに、ＡＥ（自動露出）などの撮影準備処理を設定に応じて行う。ＡＦの結果合焦した場合はＡＦ合焦時の表示、合焦音の発音を行う。非合焦であった場合はその旨の表示、発音を行う。Ｓ３１３において、システム制御部５０は、第１シャッタースイッチの押下状態（ＳＷ１オンの状態）が保持されているか否かを判定する。ＳＷ１のオンが保持されている場合はＳ３１４に進み、保持されていない、すなわちシャッターボタン６１の半押し状態が解除された場合はＡＦ合焦状態を解除しＳ３０１に戻る。Ｓ３１４では、システム制御部５０は、シャッターボタン６１が全押しされ、ＳＷ２がオンとなったか否かを判定する。ＳＷ２がオンとなった場合はＳ３１５に進み、そうでない場合はＳ３１３に進む。Ｓ３１５では、システム制御部５０はＳＷ２のオンに応じて、前述の撮影処理（撮像部２２からの信号読み出しから記録媒体２００に画像ファイルを書き込むまでの一連の撮影処理）を行う。
【００５７】
Ｓ３１６では、システム制御部５０は、表示部２８において通常クイックレビュー（通常ＱＲ）を行う。通常クイックレビューは、撮影処理の後に撮影されたばかりの画像を自動的に所定時間（例えば２秒）表示部２８に表示し、ユーザーが撮影の確認を行えるようにした表示である。通常ＱＲには表示される情報の項目数がそれぞれ異なる通常ＱＲモード１〜３があり、前回通常ＱＲが行われた際の通常ＱＲモードが不揮発性メモリ５６から読みだされ、前回最後と同じ通常ＱＲモードで表示される。なお、通常ＱＲ中のユーザー操作に応じて、システム制御部５０は、通常ＱＲモード１〜３のうちユーザー任意の表示モードに切り替えられるものとする。また、システム制御部５０は、切替え後の通常ＱＲモードを不揮発性メモリ５６に記憶する。また、メニュー画面などで予め通常ＱＲモードの初期設定を設定しておき、電源投入後最初に通常ＱＲを行う場合には、前回最後に用いた通常ＱＲモードではなく、初期設定として設定された通常ＱＲモードで表示するようにしてもよい。
【００５８】
図８（ａ）に、通常ＱＲモード１での表示例を示す。表示部２８には、Ｓ３１５の撮影処理で撮影された撮影済み画像８０７が表示される。撮影済み画像８０７は、Ｓ３１５の撮影処理で撮影され、記録媒体２００に記録する画像ファイルを生成する際に一旦メモリ３２に保持された圧縮前の画像、あるいは、記録媒体２００に記録された画像ファイルの画像を再生したものである。撮影済み画像８０７に重畳して、画像番号８０１、シャッター速度８０２、絞り数値８０３、ＩＳＯ感度８０４、露出補正値８０５が表示される。シャッター速度８０２、絞り数値８０３、ＩＳＯ感度８０４、露出補正値８０５は、撮影済み画像８０７が撮影された際のデジタルカメラ１００の設定を示している。
【００５９】
図８（ｂ）に、通常ＱＲモード２での表示例を示す。表示部２８には撮影済み画像８０７だけが表示される。画像番号８０１、シャッター速度８０２、絞り数値８０３、ＩＳＯ感度８０４、露出補正値８０５、ヒストグラム８０６、撮影モード８０８、ドライブモード８０９、ＡＦ方式８１０は非表示となる。
【００６０】
図８（ｃ）に、通常ＱＲモード３での表示例を示す。撮影済み画像８０７は、通常ＱＲモード１、２よりも縮小して表示部２８の左上部分に表示される。それと共に、画像番号８０１、シャッター速度８０２、絞り数値８０３、ＩＳＯ感度８０４、露出補正値８０５、ヒストグラム８０６、撮影モード８０８、ドライブモード８０９、ＡＦ方式８１０が表示される。撮影モード８０８、ドライブモード８０９、ＡＦ方式８１０は、撮影済み画像８０７が撮影された際のデジタルカメラ１００の設定を示している。
【００６１】
通常クイックレビュー表示を開始してから無操作のまま所定時間（例えば２秒）が経過するか、ユーザーによるクイックレビューの終了操作が行われるとクイックレビューを終了し、Ｓ３０１の撮影待機状態に戻る。なお、通常クイックレビューを行うか否かをメニュー画面でユーザーが予め設定できるようにしておき、通常クイックレビューを行わない設定となっていた場合には、Ｓ３１６の処理を行わないものとしても良い。
【００６２】
Ｓ３１７では、システム制御部５０は、終了イベントがあったか否かを判定する。終了イベントがあった場合は撮影モード処理を終了し、そうでない場合はＳ３０１に戻って処理を繰り返す。終了イベントには、電源オフ、ライブビューモードの終了（光学ファインダ撮影のモードへの切替）などがあるものとする。
【００６３】
Ｓ３２１では、システム制御部５０は、表示部２８において２点拡大表示を行う。図５（ａ）に、２点拡大表示の表示例を示す。２点拡大では、左右方向（水平方向、横方向）、または、上下方向（垂直方向、縦方向）に離れた二つの領域のライブビュー画像を一画面に並べて表示する。図５（ａ）は、左右方向に離れた２つの領域のライブビュー画像を１画面に並べて表示した例である。左側領域５０１は、撮像部２２の左側の一部の領域で撮像されているライブビュー画像を表示する表示領域である。右側領域５０２は、撮像部２２の右側の一部の領域で撮像されているライブビュー画像を表示する表示領域である。左側領域５０１と右側領域５０２に表示されたライブビュー画像は、撮像部２２のうち同じ高さの撮像領域で撮像された画像である。アクティブ枠５０３は、左側領域５０１と右側領域５０２のうち、現在操作対象となっている領域（アクディブ領域）を示す選択枠である。図５（ａ）では左側領域５０１にアクティブ枠５０３が付されており、左側領域５０１が左右移動、ＡＦなどの対象となっている。補助線５０４は、左側領域５０１の左右中央、上下中央にそれぞれ表示される補助線であり、交点が左側領域５０１の中心である。右側領域５０２にもの同様に上下中央、左右中央の補助線が表示される。中央マーカー５０５は、アクティブ枠側に表示されるマーカーであり、アクティブ領域である左側領域５０１の中心を示している。アクティブ領域の中心部分は補助線５０４、中央マーカー５０５ともに表示されておらず、中心に位置する被写体が確認できるようになっている。ガイド５０６は２点拡大を解除するための操作部材（操作方法）を示すガイダンス表示である。ガイド５０７はアクティブ枠を切り替えるための操作部材（操作方法）を示すガイダンス表示である。拡大位置ガイド５１０は、撮像範囲全体（撮像部２２で撮像されているライブビュー画像全体、撮像指示によって撮像される静止画に写る撮影範囲全体）における、左側領域５０１と右側領域５０２に拡大表示している部分を示すガイドである。すなわち、撮像範囲の全体に対する、左側領域５０１と右側領域５０２に対応する２つの撮像領域の位置とサイズを示すガイドである。左側インジケーター５１１は撮像範囲全体に対する左側領域５０１に表示されているライブビュー画像の範囲を示している。右側インジケーター５１２は撮像範囲全体に対する右側領域５０２に表示されているライブビュー画像の範囲を示している。左側領域５０１にアクティブ枠５０３があることがわかるように、左側インジケーター５１１は右側インジケーター５１２と異なる色または太さで表示されている。ガイド５０６、ガイド５０７、拡大位置ガイド５１０は、アクティブ枠５０３のある領域のライブビュー画像の視認の妨げとならないように、アクティブ枠５０３の無い方の領域（非アクティブ領域）のライブビュー画像に重畳して表示される。
【００６４】
Ｓ３２２では、システム制御部５０は、拡大ボタン７７の押下または縮小ボタン７８の押下（拡大／縮小指示）があったか否かを判定する。拡大ボタン７７の押下または縮小ボタン７８の押下があった場合はＳ３２３に進み、そうでない場合はＳ３２４に進む。
【００６５】
Ｓ３２３では、システム制御部５０は、操作に応じて２点拡大しているＬＶ画像の倍率を変更する。拡大ボタン７７が押下された場合は左側領域５０１、右側領域５０２に表示されるＬＶ画像を操作前の倍率よりもそれぞれ拡大し、同じ拡大倍率とする（左右連動して拡大する）。縮小ボタン７８が押下された場合は左側領域５０１、右側領域５０２に表示されるＬＶ画像を操作前の倍率よりもそれぞれ拡大し、同じ拡大倍率とする。変更された拡大倍率はシステムメモリ５２に記録し、一旦２点拡大が解除された場合も、電源がオフとならずに再度２点拡大表示がされた場合は同じ拡大倍率から表示する。図５（ｂ）に、図５（ａ）の状態から拡大ボタン７７が押下されて拡大された場合の表示例を示す。左側領域５０１と右側領域５０２に表示されたライブビュー画像は、それぞれ図５（ａ）よりも図５（ｂ）の方が拡大している。また、拡大した分、撮像範囲全体のうち表示される範囲は狭まるため、拡大位置ガイド５１０に表示された左側インジケーター５１１と右側インジケーター５１２は、それぞれ図５（ａ）よりも図５（ｂ）の方が小さくなっている。
【００６６】
Ｓ３２４では、システム制御部５０は、アクティブ枠切替ボタン７０ｄが押下されたか否かを判定する。アクティブ枠切り替えボタン７０が押下された場合はＳ３２５に進み、そうでない場合はＳ３２６に進む。
【００６７】
Ｓ３２５では、システム制御部５０は、操作前にアクティブ枠５０３があった領域から他方の領域にアクティブ枠５０３を移動する。図５（ｃ）に、図５（ｂ）の状態からアクティブ枠切り替えボタン７０が押下され、アクティブ枠５０３を移動した場合の表示例を示す。図５（ｂ）で左側領域５０１にあったアクティブ枠５０３は、図５（ｃ）では右側領域５０２に切り替わっている。また、ガイド５０６、ガイド５０７、拡大位置ガイド５１０は、非アクティブ枠である左側領域５０１に重畳する位置に移動している。
【００６８】
Ｓ３２６では、システム制御部５０は、十字キー７４のうち左右キーが操作されたか否かを判定する。左右キーが操作された場合はＳ３２７に進み、そうでない場合はＳ３２８に進む。
【００６９】
Ｓ３２７では、システム制御部５０は、左右キーの操作に応じてアクティブ枠５０３のある方の領域の表示範囲を左右に移動する。すなわち、左ボタンが押下された場合はアクティブ枠５０３のある方の領域の表示範囲を左に移動し、右ボタンが押下された場合はアクティブ枠５０３のある方の領域の表示範囲を右に移動する。図５（ｄ）に、図５（ｃ）の状態から右ボタンが何度か押下された場合の表示例を示す。アクティブ枠５０３のある右側領域５０２に表示される拡大領域が、図５（ｃ）よりも図５（ｄ）の方が撮像範囲のうち右側に移動している（従って映像自体は右から左にスクロール移動する）。この時、非アクティブ枠である左側領域５０１の表示範囲は変更されない（左右領域が接していない場合の左右移動は非連動）。拡大位置ガイド５１０において、右側領域５０２の表示範囲がより右に移動したことが分かるように、右側インジケーター５１２は図５（ｃ）よりも図５（ｄ）の方が右に移動している。変更された表示範囲（表示位置）はシステムメモリ５２に記録し、一旦２点拡大が解除された場合も、電源がオフとならずに再度２点拡大表示がされた場合は同じ表示範囲を２点拡大表示する。なお、左側領域５０１の表示範囲の右端が右側領域５０２の表示範囲の左端と接している場合は、アクティブ枠が左側領域５０１であっても、更に右に移動する指示に応じて左側領域５０１と右側領域５０２の表示範囲を双方連動して右側に移動する。ただし、右側領域５０２が撮像範囲全体の右端に達した場合はそれ以上右に移動できないため、更に右に移動する指示があっても移動しない。逆に、右側領域５０２の表示範囲の左端が左側領域５０１の表示範囲の右端と接している場合は、アクティブ枠が右側領域５０２であっても、更に左に移動する指示に応じて左側領域５０１と右側領域５０２の表示範囲を双方連動して左側に移動する。ただし、左側領域５０１が撮像範囲全体の左端に達した場合はそれ以上左に移動できないため、更に左に移動する指示があっても移動しない。
【００７０】
Ｓ３２８では、システム制御部５０は、十字キー７４のうち上下キーが操作されたか否かを判定する。上下キーが操作された場合はＳ３２９に進み、そうでない場合はＳ３３０に進む。
【００７１】
Ｓ３２９では、システム制御部５０は、上下キーの操作に応じて左側領域５０１と右側領域５０２の表示範囲を連動して上下に移動する。すなわち、上ボタンが押下された場合は左側領域５０１と右側領域５０２の表示範囲を連動して上に移動し、下ボタンが押下された場合は左側領域５０１と右側領域５０２の表示範囲を連動して下に移動する。図５（ｅ）に、図５（ｄ）の状態から上ボタンが何度か押下された場合の表示例を示す。左側領域５０１と右側領域５０２のそれぞれの表示範囲が、図５（ｄ）よりも図５（ｅ）の方が撮像範囲のうち上側に移動している（従って映像自体は上から下にスクロール移動する）。拡大位置ガイド５１０において、左側領域５０１と右側領域５０２の表示範囲がより上に移動したことが分かるように、左側インジケーター５１１と右側インジケーター５１２は図５（ｄ）よりも図５（ｅ）の方が上に移動している。変更された表示範囲（表示位置）はシステムメモリ５２に記録し、一旦２点拡大が解除された場合も、電源がオフとならずに再度２点拡大表示がされた場合は同じ表示範囲を２点拡大表示する。
【００７２】
以上のような操作を繰り返し、２点拡大での表示範囲を、地平線、水平線、建物の横の輪郭線などの離れた２箇所に設定し、左右領域の被写体の線を一致させるようにカメラの姿勢を調整して撮影することで、被写体の線が水平に写る画像を撮影することができる。図５（ｆ）に、２点拡大表示において、左側領域５０１を被写体の建物の左側の水平線５２１を含む被写体部分に設定し、右側領域５０２を、水平線５２１と離れた位置の建物の右側の水平線５２２を含む被写体部分に設定した場合の表示例を示す。建物の水平線は本来は直線であるが、図５（ｆ）の例では、左側領域５０１に写った水平線５２１と右側領域５０２に写った水平線５２２は繋がった直線には見えず、少しずれている。このような表示を見ることで、ユーザーはデジタルカメラ１００が建物に対して水平に構えられてないことを識別することができる。ユーザーは、水平線５２１と水平線５２２が１本の直線として視認できるような姿勢にデジタルカメラ１００の姿勢を調整して撮影することで、建物の水平線が水平に写った画像を得ることができる。なお、海や湖といった水辺の水平線に合わせて上述の操作を行えば、重力に対して水平に姿勢を調整することも可能である。
【００７３】
Ｓ３３０では、システム制御部５０は、シャッターボタン６１が半押しされてＳＷ１がオンとなったか否かを判定する。ＳＷ１がオンとなった場合はＳ３３１に進み、そうでない場合はＳ３３９へ進む。
【００７４】
Ｓ３３１では、システム制御部５０は、２点拡大を解除することなく、アクティブ枠の中央部（中央マーカー５０５が示す位置）に対してＡＦを行う。ＡＦの結果合焦すると、ＳＷ１オンが保持されている間はピントが固定（ＡＦロック）される。
【００７５】
Ｓ３３２では、システム制御部５０は、ＳＷ１のオンが保持されているか否かを判定する。ＳＷ１オンが保持されている場合はＳ３３３に進み、そうでない場合はＡＦロック状態を解除してＳ３２２に進む。
【００７６】
Ｓ３３３では、システム制御部５０は、シャッターボタン６１の全押しがなされＳＷ２がオンとなったか否かを判定する。ＳＷ２がオンとなった場合はＳ３３４に進み、そうでない場合はＳ３３２に進む。
【００７７】
Ｓ３３４では、システム制御部５０は、前述の撮影処理（撮像部２２からの信号読み出しから記録媒体２００に画像ファイルを書き込むまでの一連の撮影処理）を行う。撮影処理によって撮像される画像は、２点拡大表示している範囲ではなく、撮像範囲の画像である。
【００７８】
Ｓ３３５では、システム制御部５０は、２点拡大情報をＳ３３４の撮影処理で得られた画像ファイルに属性情報として記録する。２点拡大情報には、２点拡大表示を行っている状態で撮影が行われたことを示す情報と、撮影直前の拡大倍率と左側領域５０１、右側領域５０２の表示範囲（すなわち、それぞれの領域に対応する撮像領域）を示す情報を含む。撮影直前の拡大倍率と左側領域５０１、右側領域５０２の表示範囲を示す情報とはすなわち、Ｓ３２３でシステムメモリ５２に記憶された拡大倍率と、Ｓ３２７、Ｓ３２９でシステムメモリ５２に記憶された表示範囲の位置のことである。アクティブ枠がどちらであるかの情報を含んでも良い。
【００７９】
Ｓ３３６では、システム制御部５０は、不揮発性メモリ５６に記録された設定情報を参照し、２点拡大クイックレビューの入／切の設定が「入（オン）」となっているか否かを判定する。「入（オン）」となっている場合はＳ３３８に進み、そうでない場合（「切（オフ）」となっている場合）はＳ３３７に進む。Ｓ３３７では、通常クイックレビューを行う。この処理はＳ３１６と同様の処理であるため説明を省略する。
【００８０】
Ｓ３３８では、システム制御部５０は、２点拡大クイックレビューを行う。２点拡大クイックレビューは、撮影処理の後に撮影されたばかりの画像を自動的に所定時間（例えば２秒）、２点拡大表示で表示部２８に表示し、ユーザーが被写体を水平に撮影できたかの確認を行えるようにした表示である。この処理の詳細は図６を用いて後述する。なお、Ｓ３３７の通常クイックレビューとＳ３３８の２点拡大クイックレビューの終了後にＳ３２２に戻って２点拡大表示を継続する例を説明したが、Ｓ３２２に戻らずに、２点拡大を解除して撮像範囲全体のライブビュー表示（等倍表示）に復帰しても良い。すなわちＳ３３７とＳ３３８の後にＳ３０１に進んでもよい。
【００８１】
Ｓ３３９では、システム制御部５０は、２点拡大の終了ボタンが押下されたか否かを判定する。２点拡大の終了ボタンは、本実施形態ではＱボタン７０ｃである。Ｑボタン７０ｃが押下された場合はＳ３４０に進み、そうでない場合はＳ３２２に戻って処理を繰り返す。
【００８２】
Ｓ３４０では、システム制御部５０は、２点拡大表示を解除してＳ３０１に進み、ライブビュー画像の全体表示に戻す。
【００８３】
図６に、図３のＳ３３８で前述した２点拡大クイックレビュー処理の詳細フローチャートを示す。この処理は、不揮発性メモリ５６に記録されたプログラムをシステムメモリ５２に展開してシステム制御部５０が実行することで実現する。
【００８４】
Ｓ６０１では、システム制御部５０は、表示部２８において、２点拡大ＱＲ表示を行う。図８（ｅ）に、２点拡大ＱＲ表示の表示例を示す。大部分は図５（ａ）〜図５（ｆ）のような撮影前の２点拡大表示と同様の表示形態であり、Ｓ３３４の撮影処理の直前の２点拡大表示の状態と同様の表示形態となる。ただし、２点拡大表示で表示する拡大位置の調整等の操作は撮影前に終わっており、素早く撮影結果の確認を行うためのクイックレビュー中には行われる可能性が低い。従って、図５（ａ）〜図５（ｆ）と異なり、アクティブ枠、中央マーカー、アクティブ枠切り替えのガイド、左側インジケーターと右側インジケーターのうち何れがアクティブかを示す表示は行わない。また、表示される画像はライブビュー画像ではなく、撮影済みの画像となる。図８（ｅ）において、左側領域８２１と右側領域８２２はいずれも、Ｓ３３４の撮影処理で撮影された撮影済み画像の一部の範囲を表示する領域である。撮影済み画像とは、記録媒体２００に記録する画像ファイルを生成する際に一旦メモリ３２に保持された圧縮前の画像、あるいは、記録媒体２００に記録された画像ファイルの画像を再生した画像である。左側領域８２１は、撮影済み画像のうち左側の一部の範囲であり、撮像済み画像のうち撮像部２２の左側の一部の領域で撮像された範囲を表示する領域である。右側領域８２２は、撮影済み画像のうち右側の一部の範囲であり、撮像済み画像のうち撮像部２２の右側の一部の領域で撮像された範囲を表示する領域である。左側領域８２１と右側領域８２２に表示される表示範囲の位置と拡大倍率は、前述のＳ３２１〜Ｓ３２９の２点拡大表示中に調整された最新の値であり、最後にＳ３２３で記録された倍率、最後にＳ３２７またはＳ３２９で記録された表示範囲の位置と同等である。左側領域８２１と右側領域８２２に表示された表示範囲は、撮影済み画像のうち同じ高さの領域となっている。ガイド８２３はクイックレビューでの２点拡大を解除するための操作部材（操作方法）を示すガイダンス表示である。拡大位置ガイド８３０は、撮影済み画像全体における、左側領域８２１と右側領域８２２に拡大表示している部分を示すガイドである。左側インジケーター８３１は撮像済み画像全体における左側領域８２１に表示されている範囲を示している。右側インジケーター８３２は撮影済み画像全体における右側領域８２２に表示されている範囲を示している。撮影前に２点拡大表示を行って水平が合うようにカメラの姿勢を調整して撮影を行っても、シャッターボタン６１を押す力や、その他の要因により撮影処理際に姿勢が傾いてしまう場合がある。図８（ｅ）に示すような２点拡大クイックレビューを行うことにより。このような意図しない傾きが発生することなく水平に撮影が行えたか否かを、撮影直後に家訓することが可能となる。図８（ｅ）の例では、被写体である建物の左側の水平線８４１と右側の水平線８４２がややずれていることが見てわかるため、厳密に水平には撮影できてないことがわかり、撮り直しが必要であることをユーザーが認識できる。なお、Ｓ６０１で２点拡大ＱＲ表示を行うとともに、２点拡大ＱＲ表示を自動的に終了させるまでの時間であるＴ１の計測を開始する。
【００８５】
Ｓ６０２では、システム制御部５０は、操作部７０に含まれるいずれかの操作部材に対する有効な操作（クイックレビュー表示している画像に関する操作）があったか否かを判定する。なんらかの操作があった場合はＳ６０３に進み、無操作である場合はＳ６０４に進む。
【００８６】
Ｓ６０３では、システム制御部５０は、２点拡大ＱＲ表示を行ってから計測していたＴ１を計るタイマーの計時を停止する。これにより、２点拡大ＱＲ表示は自動的には終了せず、クイックレビュー表示の解除操作が無い限りＴ１の経過後も２点拡大ＱＲ表示を維持（保持）するクイックレビューホールド状態となる。続いて、Ｓ６１０以降に進み、Ｓ６０２で検知した操作に応じた処理、及びその後行われる操作に応じた処理を行う。なお、２点拡大ＱＲ表示中にクイックレビューホールド状態となったことに応じて、アクティブ枠、中央マーカー、アクティブ枠切り替えのガイド、左側インジケーターと右側インジケーターのうち何れがアクティブかを示す表示を行うようにしてもよい。そして、アクティブ枠の切り替え、拡大位置（表示範囲）の移動、倍率変更の操作を受付可能な状態としてもよい。操作方法は前述の図３のＳ３２１〜Ｓ３２９で説明したものと同様である。
【００８７】
Ｓ６０４では、システム制御部５０は、２点拡大ＱＲ表示を自動的に終了させるまでの時間であるＴ１が経過したか否かを判定する。Ｔ１は例えば２秒である。Ｔ１の値は、ユーザーがメニュー画面などから予め任意の時間に設定できても良いし、所定の時間であっても良い。また、ユーザーが設定できる値として「２点拡大ＱＲホールド」があっても良く、この場合は２点拡大ＱＲ表示を開始してもＴ１の計測を行うことなく、Ｓ６１０に進むものとする。Ｓ６０４でＴ１が経過したと判定した場合はＳ６０５に進み、そうでない場合はＳ６０２に戻る。
【００８８】
Ｓ６０５では、システム制御部５０は、２点拡大ＱＲ表示を解除し、クイックレビューの表示形態を、通常ＱＲ表示とする。この処理は、図３のＳ３３７と同様であり、図８（ａ）〜（ｃ）のいずれかの表示形態となる。ただし、この場合はユーザーの操作によって通常ＱＲ表示から再度２拡大ＱＲ表示に遷移することが可能である。そのことを示すために、図８（ｄ）に示すように、クイックレビュー表示中に２点拡大表示へ遷移可能であることを示すガイド８１２を表示する。図８（ｄ）は、通常ＱＲモード１の場合にガイド８１２を表示した例であるが、通常ＱＲモード２，３の場合にも同様にガイド８１２が表示される。なお、ガイド８１２は、クイックレビューホールド状態になって所定時間（例えば３秒）が経過したら非表示とするようにしてもよい。また、Ｓ６０５で通常ＱＲ表示を開始するとともに、通常ＱＲ表示を自動的に終了させるまでの時間であるＴ２の計測を開始する。
【００８９】
Ｓ６０２では、システム制御部５０は、操作部７０に含まれるいずれかの操作部材に対する有効な操作（表示されている画像に関する操作）があったか否かを判定する。なんらかの操作があった場合はＳ６０７に進み、無操作である場合はＳ６０８に進む。
【００９０】
Ｓ６０７では、システム制御部５０は、通常ＱＲ表示を行ってから計測していたＴ２を計るタイマーの計時を停止する。これにより、通常ＱＲ表示は自動的には終了しないクイックレビューホールド状態となる。続いて、Ｓ６１０以降に進み、Ｓ６０６で検知した操作に応じた処理、及びその後行われる操作に応じた処理を行う。
【００９１】
Ｓ６０８では、システム制御部５０は、通常ＱＲ表示を自動的に終了させるまでの時間であるＴ２が経過したか否かを判定する。Ｔ２は例えば２秒である。Ｔ２の値は、ユーザーがメニュー画面などから予め任意の時間に設定できても良いし、所定の時間であっても良い。また、ユーザーが設定できる値として「通常ＱＲホールド」があっても良く、この場合は通常ＱＲ表示を開始してもＴ２の計測を行うことなく、Ｓ６１０に進むものとする。Ｓ６０８でＴ２が経過したと判定した場合は処理を終了して図３のＳ３２１に進み、そうでない場合はＳ６０６に戻る。
【００９２】
Ｓ６１０では、システム制御部５０は、表示している撮影済み画像の画像ファイルに属性を付与する操作があったか否かを判定する。付与可能な属性としては例えばプロテクト属性や、お気に入り度（レーティング情報）がある。例えば操作部７０に含まれるプロテクトボタンを押下することでプロテクト属性を付与することができる。属性を付与する操作があったと判定するとＳ６１１に進み、そうでない場合はＳ６１２に進む。Ｓ６１１では、システム制御部５０は、操作に応じた属性情報を表示している記録済み画像の画像ファイルにメタデータとして記録する。
【００９３】
Ｓ６１２では、システム制御部５０は、２点拡大ＱＲ表示と通常ＱＲ表示とを切り替える操作があったか否かを判定する。例えば、アクティブ枠切り替えボタン７０の押下や、Ｑボタン７０ｃの押下、ガイド８１２、ガイド８２３をタッチする操作で２点拡大ＱＲ表示と通常ＱＲ表示とを切り替えることができるものとするが、これらの操作に限るものではない。２点拡大ＱＲ表示と通常ＱＲ表示とを切り替える操作があった場合はＳ６１３に進み、そうでない場合はＳ６１４に進む。Ｓ６１３では、システム制御部５０は、２点拡大ＱＲ表示と通常ＱＲ表示とを切り替える。すなわち、２点拡大ＱＲ表示でホールドされていた場合は通常ＱＲ表示に切り替え、通常ＱＲ表示でホールドされていた場合は２点拡大ＱＲ表示に切り替える。
【００９４】
Ｓ６１４では、システム制御部５０は、表示されている撮影済み画像を消去（削除）する操作があったか否かを判定する削除する操作があった場合はＳ６１５に進み、そうでない場合はＳ６１６に進む。削除する操作は、例えば操作部７０に含まれる削除ボタンの押下である。Ｓ６１５では、表示されている撮影済み画像の画像ファイルを記録媒体２００から削除する。
【００９５】
Ｓ７１４では、システム制御部５０は、ＱＲ表示の終了操作があったか否かを判定する。ＱＲ表示の終了操作があった場合はＱＲ表示を終了して図３のＳ３２１へ進み、そうでない場合はＳ６１０に戻り処理を繰り返す。ＱＲ表示の終了操作とは例えば、メニューボタン７０ｅの押下、シャッターボタン６１の半押しなどである。
【００９６】
上記のように、２点拡大ＱＲ表示によれば、撮影前の撮影待機状態と撮影後の画像確認において、同様の２点拡大表示形式で画像を確認することができ、シャッターボタンの押下などで撮影時に発生した振動が撮影画像に影響したか否かをすぐに確認できる。影響が確認できた場合は、すぐに再撮影をすることができるので、ユーザーにとってより便利になる。また、上述の通り、所定時間Ｔ１の経過により２点拡大ＱＲ表示から通常ＱＲ表示に遷移する。従って２点拡大ＱＲ表示で被写体の水平方向のズレを確認するとともに、通常ＱＲ表示で撮影画像全体の様子を確認することができる。この間にユーザーがデジタルカメラ１００に触れる必要がないので、三脚等に設置して調整したデジタルカメラ１００の水平姿勢が不用意にずれてしまうことがない。また、ユーザー操作があった場合は所定時間で２点拡大表示から通常画像再生表示に戻ることをしないので、２点拡大表示を続けたい場合にはじっくりと確認することができる。
【００９７】
なお、図６のＳ６０１では、アクティブ枠、アクティブ領域の中央マーカー、アクティブ枠切り替えのガイド、左側インジケーターと右側インジケーターのうち何れがアクティブかを示す表示は行わない例を説明した。ただしこれに限るものではなく、図５（ａ）〜図５（ｆ）と同様に、アクティブ枠、中央マーカー、アクティブ枠切り替えのガイド、左側インジケーターと右側インジケーターのうち何れがアクティブかを示す表示をしてもよい。
【００９８】
図７に、前述の図３のＳ３０７の再生モード処理（再生制御）の詳細フローチャートを示す。この処理は、不揮発性メモリ５６に記録されたプログラムをシステムメモリ５２に展開してシステム制御部５０が実行することで実現する。
【００９９】
Ｓ７０１では、システム制御部５０は、記録媒体２００から表示すべき画像を読み込む。再生モードに遷移してから最初に表示すべき画像は、記録媒体２００に記録された最新の画像（最後に撮影された画像）、あるいは前回最後に再生表示していた画像であるものとする。
【０１００】
Ｓ７０２では、システム制御部５０は、Ｓ７０１で読み込んだ画像の属性情報として２点拡大情報が記録されているか否かを判定する。２点拡大情報とはＳ３３５で画像に付与された情報である。２点拡大情報が含まれる場合はＳ７０３に進み、そうでない場合はＳ７２０に進む。
【０１０１】
Ｓ７０３では、システム制御部５０は、表示部２８において、２点拡大ガイド付きで画像の再生表示をする。２点拡大ガイド付きでの画像の再生表示は、前述の図８（ｄ）と同様の表示形態である。表示部２８には、記録媒体２００から読み込んだ撮影済み画像８０７の全体が表示される。また、撮影済み画像８０７とともに、２点拡大情報が付与された画像であることを示すガイド８１２を表示する。ユーザーは、ガイド８１２の表示を見て、２点拡大表示指示を行えば、撮影時に２点拡大表示をして撮影した画像であること、及び、撮影時と同様の拡大位置と倍率で２点拡大表示を行えることがわかる。
【０１０２】
Ｓ７０４では、システム制御部５０は、２点拡大表示を行う指示操作があったか否かを判定する。２点拡大表示を行う指示操作があった場合はＳ７０５に進み、そうでない場合はＳ７１１に進む。２点拡大表示を行う指示操作とは、例えばアクティブ枠切り替えボタン７０の押下、ガイド８１２のタッチなどがある。
【０１０３】
Ｓ７０５では、システム制御部５０は、２点拡大表示を行う。図８（ｆ）に、再生モードにおける２点拡大表示の表示例を示す。左側領域８２１には、再生した撮影済み画像の左側の一部領域が拡大表示され、右側領域８２２には、同じ撮影済み画像の右側の一部領域が拡大表示される。左側領域８２１と右側領域８２２に初期表示される表示範囲の位置と拡大倍率は、属性情報として記録された２点拡大情報に基づいて決まる。すなわち、撮影時に前述のＳ３２１〜Ｓ３２９の２点拡大表示中に調整された最新の値であり、最後にＳ３２３で記録された倍率、最後にＳ３２７またはＳ３２９で記録された表示範囲の位置と同じである。再生モードにおける２点拡大表示では、図５（ａ）〜図５（ｆ）と同様、アクティブ枠８２５、中央マーカー８２７、アクティブ枠切り替えのガイド８２４、左側インジケーターと右側インジケーターのうち何れがアクティブかを示す表示も行われる。そして、アクティブ枠の切替操作、表示範囲の位置の変更操作、拡大倍率の変更操作を、前述のＳ３２１〜Ｓ３２９と同様に受け付けるものとする。
【０１０４】
Ｓ７０６では、システム制御部５０は、画像送りまたは画像戻し操作があったか否かを判定する。画像送り操作または画像戻し操作があった場合はＳ７０７に進み、そうでない場はＳ７０８に進む。Ｓ７０７では、システム制御部５０は、画像送り操作または画像戻し操作に応じた次に表示すべき画像の画像番号を取得する。例えば、１枚画像送りであれば、現在表示している画像の次の画像番号を取得する。そして、Ｓ７０１に進み、次に表示すべき画像を記録媒体２００から読み込んで処理を繰り返す。
【０１０５】
Ｓ７０８では、システム制御部５０は、通常再生表示に戻す操作があったか否かを判定する。通常再生表示に戻す操作があった場はＳ７０３に進み、そうでない場合はＳ７０６に戻る。通常再生表示に戻す操作は、Ｑボタン７０ｃの押下またはガイド８２３のタッチであるものとする。
【０１０６】
Ｓ７１１では、その他の操作があったか否かを判定する。その他の操作があったと判定した場合はＳ７１２でその他の操作に応じた処理を行い、そうでない場合はＳ７１３に進む。その他の操作に応じた処理として、画像の拡大縮小、マルチ画面への遷移、画像削除、レーティング情報付与、転送などがあるが、詳細は省略する。
【０１０７】
Ｓ７１３では、システム制御部５０は、画像送りまたは画像戻しの操作があったか否かを判定する。画像送りまたは画像戻しの操作があった場はＳ７１４に進み、そうでない場はＳ７１５に進む。Ｓ７１４の処理はＳ７０７と同様であるので説明を省略する。
【０１０８】
Ｓ７１５では、システム制御部５０は、再生モード処理の終了イベントがあったか否かを判定する。終了イベントには例えば、撮影モードに遷移するイベント、電源をオフするイベントなどがある。終了イベントがあった場合は再生モード処理を終了し、そうでない場合はＳ７０４に進んで処理を繰り返す。
【０１０９】
一方、Ｓ７２０では、システム制御部５０は、表示部２８に通常の再生表示を行う。通常の再生表示では、２点拡大情報が付加されていない画像の表示であるため、ガイド８１２は表示されない。それ以外はＳ７０３の処理と同様である。
【０１１０】
Ｓ７２１〜Ｓ７２５の処理は、前述したＳ７１１〜Ｓ７１５の処理と同様であるため説明を省略する。
【０１１１】
上記のように本施例によれば、撮影後の画像の確認手段として２点拡大表示を行い、撮影前に合わせた水平が保たれているか否かをユーザーがより正確に確認できる。
【０１１２】
なお、システム制御部５０が行うものとして説明した上述の各種制御は、１つのハードウェアが行ってもよいし、複数のハードウェアが処理を分担することで、装置全体の制御を行ってもよい。
【０１１３】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【０１１４】
また、上述した実施形態においては、本発明をデジタルカメラ１００に適用した場合を例にして説明したが、これはこの例に限定されず、２点拡大表示を行うことのできる撮像制御装置であれば適用可能である。すなわち、本発明はカメラ機能を有するパーソナルコンピュータやＰＤＡ、カメラ付き携帯電話端末やカメラ付きの携帯型の画像ビューワ、カメラ付き音楽プレーヤー、カメラ付きゲーム機、カメラ付き電子ブックリーダーに適用可能である。また、カメラ付きタブレット端末、カメラ付きスマートフォン、カメラ機能とディスプレイを備える家電装置や車載装置などに適用可能である。また、デジタルカメラ等で撮影したライブビュー画像を有線または無線通信を介して受信して表示し、リモートでデジタルカメラ（ネットワークカメラを含む）を制御するスマートフォンやタブレットＰＣ、デスクトップＰＣなどの装置にも適用可能である。
【０１１５】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【図１】
2018107711.tif 000003
【図２】
2018107711.tif 000004
【図３】
2018107711.tif 000005
【図４】
2018107711.tif 000006
【図５】
2018107711.tif 000007
【図６】
2018107711.tif 000008
【図７】
2018107711.tif 000009
【図８】
2018107711.tif 000010